(57)【要約】【課題】本発明は、従来の消臭機能を有する間仕切りにおいて、臭いを強力に吸着し、消臭することができる特殊加工した布地の取替えが容易で、しかも、室内の臭いの状況に対応して、間仕切りの増設等が簡単に行える消臭機能を有する間仕切りを提供することを課題とする。【解決手段】間仕切り枠体と、間仕切り枠体に着脱自在に取付けられる上下フレームと、上下フレーム間に張設されるシート体より構成され、上フレームは、シート体の上通し穴部に挿入された状態で伸縮可能に構成され、下フレームはシート体の下通し穴部に挿入された状態で、左右支柱の対向面に形成された左右上嵌入孔の内面側下方に上下方向に連設された左右下保持孔に保持されて構成されているものである。【選択図】図３
2011001747.tif 000002
【特許請求の範囲】
【請求項１】
左右支柱と、左右支柱の上下端部間に連結された上下連結杆よりなる間仕切り枠体と、枠体の上下連結杆に近接して、左右支柱間に着脱自在に取付けられる上下フレームと、上下フレーム間に張設されるシート体より構成され、シート体の上下端縁に上下通し穴部が設けられ、上下通し穴部に上下フレームが挿入され、上フレームは、上通し穴部に挿入された状態で、左右支柱の対向面に形成された左右嵌合孔に左右端部が嵌合する状態と、あるいは、嵌合した状態から左右端部が抜き出される状態に伸縮可能に構成され、下フレームは下通し穴部に挿入された状態で、左右支柱の対向面に形成された左右保持孔に左右端部が保持され、左右保持孔は対向した同形で、上フレームが左右嵌合孔に嵌合した状態で、シート体の下縁のやや上方に位置し、下フレームの一方側の端部が最も押し込まれた状態で他方側の端部が支柱の内面側に位置する深さに形成された左右上嵌入孔と、上下方向に移動可能で、左右方向には移動不能に下フレームの左右端部が嵌入する、左右上嵌入孔の内面側下方に連設された左右下保持孔より構成されていることを特徴とする間仕切り。
【請求項２】
左右支柱の上下端部には、間仕切り枠体同士を連結金具を介して連結するための上下左右連結部が形成され、上左右連結部は同一構成で、上左右連結部と下左右連結部は上下に対向した同一構成で、上右連結部は、右支柱の外形寸法とほぼ等しい円形の右上脱落防止部と、右上脱落防止部の下方に連設された、脱落防止部より小径の右上連結用突部よりなり、右支柱の上端面にネジ止めされる右上キャップを有し、連結金具には、右上キャップの右上連結用突部が嵌入する２つの連結用嵌入穴が所定間隔を有して設けられていることを特徴とする請求項１に記載の間仕切り。
【発明の詳細な説明】
【技術分野】
【０００１】
本発明は、特に室内を消臭すると共に、抗菌作用を有する布地を簡単に取り替えることができる間仕切りに関するものである。
【背景技術】
【０００２】
従来、介護室内等の空間の有害な細菌の繁殖を防いだり、臭いを消すため、抗菌作用のある芳香剤や消臭スプレーが使用されるが、これは、室内に化学物質を撒き散らすことや、芳香剤の臭いが強すぎたりする問題あった。この問題を解決するため、抗菌作用があり、臭いを強力に吸着し、消臭することができる特殊加工をした布地を張った間仕切りを、悪臭のする部屋などの空間に設置して、空間内の有害な細菌の繁殖を防いだり、臭いを消す方法が、近年提供されている。
しかしながら、前記布地の消臭機能は経時劣化するので、一定期間ごとに布地の交換が必要となる。又、そのような作用を有しない布地であっても、汚れ、色あせ等による取替えが必要となる。
そして、間仕切りを設置した状態で、簡単に布地を交換できるとともに、室内の臭いの状況、或いは、部屋の大きさ等に対応して簡単に増設できる間仕切りを提供しようとするものである。
【先行技術文献】
【特許文献】
【０００３】
【特許文献１】登録実用新案第３０７０７７２号公報
【発明の概要】
【発明が解決しようとする課題】
【０００４】
本発明は、従来の消臭機能を有する間仕切りにおいて、臭いを強力に吸着し、消臭することができる特殊加工した布地だけでなく、そのような加工をしていない布地の取替えが容易で、しかも、室内の臭い等の状況に対応して、間仕切りの増設等が簡単に行える間仕切りを提供することを課題とする。
【課題を解決するための手段】
【０００５】
そこで、上記課題を解決する為、本発明が第１の手段として構成したところは、左右支柱と、左右支柱の上下端部間に連結された上下連結杆よりなる間仕切り枠体と、間仕切り枠体の上下連結杆に近接して、左右支柱間に着脱自在に取付けられる上下フレームと、上下フレーム間に張設されるシート体より構成され、シート体の上下端縁に上下通し穴部が設けられ、上下通し穴部に上下フレームが挿入され、上フレームは、上通し穴部に挿入された状態で、左右支柱の対向面に形成された左右嵌合孔に左右端部が嵌合する状態と、あるいは、嵌合した状態から左右端部が抜き出される状態に伸縮可能に構成され、下フレームは下通し穴部に挿入された状態で、左右支柱の対向面に形成された左右保持孔に左右端部が保持されるよう、左右保持孔は対向した同形で、上フレームが左右嵌合孔に嵌合した状態で、シート体の下縁のやや上方に位置し、下フレームの一方側の端部が最も押し込まれた状態で他方側の端部が支柱の内面側に位置する深さに形成された左右上嵌入孔と、左右方向には移動不能に下フレームの左右端部が嵌入する深さで、左右上嵌入孔の内面側下方に上下方向に連設された左右下保持孔より構成されているものである。
【０００６】
次に、上記課題を解決する為、本発明が第２の手段として構成したところは、前記第１の手段として構成したところに加え、左右支柱の上下端部には、間仕切り枠体同士を連結金具を介して連結するための左右上下連結部が形成され、左右上連結部は同一構成で、左右上連結部と左右下連結部は上下に対向した同一構成で、右上連結部は、右支柱の外形寸法とほぼ等しい円形の右上脱落防止部と、右上脱落防止部の下方に連設された、脱落防止部より小径の右上連結用突部よりなり、右支柱の上端面にネジ止めされる右上キャップを有し、連結金具には、右上キャップの右上連結用突部が嵌入する２つの連結用嵌入穴が所定間隔を有して設けられているものである。
【発明の効果】
【０００７】
本発明の第１の手段として構成したところによると、間仕切り枠体にシート体を取り付けるときは、上フレームをシート体の上通し穴部に挿入した状態で、上フレームの一端を一方の嵌合孔に嵌合し、さらに、上フレームの長さを縮小させて他端を間仕切り枠体の内側に位置させ、内側から他方の嵌合孔に一致させた後、上フレームの長さを伸長させて、他端を他方の嵌合孔に嵌合して、上フレームを間仕切り枠体に取り付ける。上フレームを間仕切り枠体から取り外す場合は、上記と逆の動作で取り外す。
【０００８】
次に、シート体の下通し穴部に挿入した状態の下フレームを間仕切り枠体に取り付ける
時は、下フレームの一方側の端部を、他方側の端部が支柱の内面側に位置するまで、一方側の保持孔の上嵌入孔に押し込んで、他方側の端部を他方側の保持孔の上嵌入孔に内側から一致させた後、下フレームを左右方向の中央部に移動させると、下フレームの左右端部は、左右下保持孔の内側に位置し、左右下保持孔は上下方向に形成されているので下方に自重で移動し、シート体は張設された状態となる。
下部フレームを間仕切り枠体から取り外すときは、下フレームを上嵌入孔の位置まで持ち上げて上記とは逆の動作で取り外す。
上記のように、本発明では、間仕切り枠体にシート体を張設する時も、張設されたシート体を間仕切り枠体から取り外すときも非常に簡単な動作で行う事ができる。
したがって、定期的にシート体の取替えを容易におこなえるので、介護室内を消臭する、衛生的で清潔な間仕切りを提供することができる。
【０００９】
次に、本発明の第２の手段として構成したところによると、前記効果に加え、２つの間仕切り同士を連結して屏風状となし、介護室等内に立設して使用するとき、あるいは、介護室等の臭いの状況に対応して、立設された間仕切りに、さらに間仕切りを増設するときは、左右支柱の上下端部に設けられた左右上下キャップを取り外し、左右上下キャップの左右上下連結用突部を、連結金具の連結用嵌入穴に嵌入した状態で、再び、左右上下キャップを左右支柱の上下端部にネジ止めし、間仕切り同士を回動自在に連結するので、連結作業が非常に容易であり、手軽に消臭機能を有する間仕切りの増設をおこなうことができ、空間を快適な状態に維持できる。
【図面の簡単な説明】
【００１０】
【図１】図１は本発明の間仕切りの正面図である。
【図２】図２は図１のＡ部拡大図である。
【図３】図３は図１のＢ部拡大図である。
【図４】図４は図２のＣ−Ｃ線断面図である。
【図５】図５は図３のＤ−Ｄ線断面図である。
【図６】図６は上フレームの右側端部の一部正面図である。
【図７】図７は本発明の２つの間仕切りを連結した状態の一部正面図である。
【図８】図８は図７に対応する平面図である。
【図９】図９は連結金具の平面図である。
【発明を実施するための形態】
【００１１】
本発明は、左右支柱と、左右支柱の上下端部間に連結された上下連結杆よりなる間仕切り枠体と、枠体の上下連結杆に近接して、左右支柱間に着脱自在に取付けられる上下フレームと、上下フレーム間に張設されるシート体より構成され、シート体の上下端縁に上下通し穴部が設けられ、上下通し穴部に上下フレームが挿入され、上フレームは、上通し穴部に挿入された状態で、左右支柱の対向面に形成された左右嵌合孔に左右端部が嵌合する状態と、あるいは、嵌合した状態から左右端部が抜き出される状態に伸縮可能に構成され、下フレームは下通し穴部に挿入された状態で、左右支柱の対向面に形成された左右保持孔に左右側端部が保持されるよう、左右保持孔は対向した同形で、上フレームが左右嵌合孔に嵌合した状態で、シート体の下縁のやや上方に位置し、下フレームの一方側の端部が最も押し込まれた状態で他方側の端部が支柱の内面側に位置する深さに形成された左右上嵌入孔と、上下方向に移動可能で、左右方向には移動不能に下フレームの左右端部が嵌入する、左右上嵌入孔の内面側下方に連設された左右下保持孔より構成されているものである。
【実施例】
【００１２】
以下、第１実施例を添付図面に基づいて詳述する。
図１において、符号１は本発明の間仕切りを示している。
間仕切り１は、左右支柱２、２と、左右支柱２、２の上下端部間に連結された上下連結杆３、３よりなる間仕切り枠体１０と、間仕切り枠体１０の上下連結杆３、３に近接して、左右支柱２、２間に着脱自在に取付けられる上下フレーム５、６と、上下フレーム５、６間に張設されるシート体７より構成され、連結金具９、９(図７に示す。)によって、２つの間仕切り１、１の上下端部が互いに回動自在に連結され、屏風状に室内に立設され使用される。
【００１３】
左右支柱２、２は対向した同形に形成されているので一方側（右側）についてのみ説明する。
右支柱２は、外側部が半円形で、内面側角部を面取りした方形の内側部より、木質系の材料で柱状に形成された右支柱本体２１と、右支柱本体２１の上下端部と右支柱本体２１に着脱自在に連結される右上下キャップ８、８より構成され、右支柱2の上下端部に右上下連結部８０、８０が形成され、上下連結杆３、３の左右端部が嵌合する嵌合凹部２１０、２１０が、右支柱本体２１の方形の内側部に形成されている。
【００１４】
そして、右支柱本体２１の上下端面には右上下キャップ８、８の連結用螺孔２２、２２が形成され、上下端部には外側部から内面側に貫通する上下連結杆３、３の取り付け穴２３、２３が形成されている。
さらに、支柱本体２１の上連結杆３が位置するやや下方側で、内側部の内面側に上フレーム５の右側端部が嵌合する右嵌合孔２４が形成され、下連結杆3が位置するやや上方側で、内側部の内面側に下フレーム６の右側端部が保持される右保持孔２５が形成されている。
【００１５】
尚、左右嵌合孔２４は、左右支柱２、２間にとりつけられる上フレーム５が通常時の長さとなったとき、上フレーム５の左右端部面が互いの左右嵌合孔２４、２４の底部に当接する程度の深さに形成されている。
一方、右保持孔２５は、上フレーム5が左右嵌合孔２４、２４に嵌合した状態で、シート体７の下縁のやや上方に位置し、下フレーム６の右側の端部が最も押し込まれた状態で左側の端部が左支柱２の内面側に位置する（逆の場合も同様である。）深さに形成された右嵌入孔２６と、左右方向には移動不能に下フレーム６の右端部が嵌入する深さで、右嵌入孔２６の内面側下方に上下方向に連設された右下保持孔２７より構成されている。
【００１６】
右支柱２の上下端部に形成された右上下連結部８０、８０は、上下に対向して同形であるので一方側についてのみ説明する。
右上連結部８０は、右支柱本体２１の上端面と、上端面に設けられた連結用螺孔２２に螺合する連結ネジ８１にて着脱自在に取り付けられる右上キャップ８より構成されている。
右上キャップ８は、右支柱本体２１の外側部の半円形の径にほぼ等しい円形で所定の厚みを有する右上脱落防止部８２と、右上脱落防止部８２より小さい径の円形で所定の厚みを有する右上連結突部８３よりなり、右上脱落防止部８２と右上連結突部８３の中心部を上下方向に貫通し、上部を連結ネジ８１の頭部保持部８４０とした連結孔８４を有している。
【００１７】
左右上下連結部８０、８０に取付けられる連結金具９は、所定間隔を有して前記キャップ８、８の連結突部８３、８３が嵌入する連結用嵌入穴９１、９１を有し、線材を略無限大記号状に曲げて形成している。
【００１８】
上下連結杆３、３は対向した同形に形成されているので、上連結杆についてのみ説明する。上連結杆３は木質材より方形棒状に形成され、左右端部に左右支柱２、２の嵌合凹部２１０、２１０に形成された取り付け穴２３、２３に対応して、連結用下穴３２、３２が形成され、取付けネジ２０・・・にて上下連結杆３、３と左右支柱２、２は連結される。
【００１９】
上フレーム５は、図６に示すように右嵌合孔２４に嵌合する丸パイプからなる右側上フレーム５１と、右側上フレーム５１と同径の丸パイプからなる左嵌合孔２４に嵌合する左側上フレーム５２と、右側上フレーム５１の左側端部に密嵌連結され、左側部分が左側上フレーム５２内に抜き差し可能な支持杆５３と、支持杆５３に外嵌し、左右上フレーム５１、５２間に位置するコイルバネ５４より成り、上フレーム５は、コイルバネ５４と支持杆５３によって伸縮自在で、縮めた状態で左右支柱２、２間から取り外し可能で、伸びた状態で、左右嵌入孔２４、２４に左右端部が嵌合してシート体７の上部を支持する。
下フレーム６は鉄製線材より所定の重さで、左右支柱２、２の左右下保持孔２７、２７間にほぼ一致する長さに形成されている。
【００２０】
シート体７は、ジルコニウム鉱石或いは、それらの複合酸化物を焼成して得られたセラミック微粉末を含有する、看護室内の加齢臭アンモニア臭素を分解・消臭する機能を有するセラミッククロスよりなり、横幅が左右支柱間にほぼ一致する大きさで、上下連結杆３、３間よりやや小さめの長さで、上下端縁を袋状とし、上端縁に上フレーム５が挿通する上通し穴部７１が設けられ、下端縁に下フレーム６が挿通する下通し穴部７２が設けられている。
【００２１】
本発明の間仕切り１は上記のごとく構成され、間仕切り枠体１０を組み上げた状態で、
シート体７の上通し穴部７１に挿通した上フレーム５の一端を、支柱２の嵌合孔２４に嵌合、他方側端部を嵌合した側にコイルバネ５４を縮小させて押しやり、他方側端部を他方側の嵌合孔２４に一致させ、再び上フレーム５を伸長させてその嵌合孔２４に端部を嵌合し、上フレーム５が左右支柱２、２間に支持され、シート体７の上端縁を保持する。
【００２２】
次に、シート体７の上端縁が左右支柱２、２間に保持された状態で、シート体７の下端縁の下部通し穴７２に下フレーム６を挿通し、挿通された下フレーム６をやや持ち上げて、下フレーム６の一方側の端部を嵌入孔２６に押し込んで、他方側の端部を支柱２の内側で、他方の嵌入孔２６に一致させた後、下フレーム６を左右方向の中央部に移動させると、下フレーム６の左右端部は、左右下保持孔２７、２７の内側に位置し、そして、左右下保持孔２７、２７は上下方向に長く形成されているので、下フレーム６は自重によって下方に移動し、シート体７は張設される。
又、間仕切り１の消臭機能を一定に維持するため、定期的にシート体７を取り替えるときは、上記とは逆の順序で、シート体７を取り外して、同様の順序で新しいシ−ト体７に取り替える。
【００２３】
本発明の間仕切り１は、上記のごとく構成され、看護室等に立設されるときは、２つ一組として互いの上下端部が連結金具９、９にて連結され、屏風状に立設される。
すなわち、連結ネジ８１・・・をゆるめて、間仕切り１、１からキャップ８・・・を一旦取り外し、キャップ８・・・の連結突部８３・・・を連結金具９の連結用嵌入穴９１・・・に嵌合した状態を維持し、再び、連結ネジ８１・・・を連結孔８４・・・に挿通して、支柱本体２１、２１に螺合し、一方の間仕切り１の支柱２１と他方の間仕切り１の支柱２１を連結金具９、９を介して連結し、互いに回動自在とし、屏風状として立設する。
又、既に立設された間仕切り１、１の消臭効果をより大きくするため、他の間仕切り１を増設するときも、上記同様、増設する間仕切り１と、既に立設された一方の間仕切り１のキャップ８・・・を取り外した後、前述と同様にして間仕切り１を増設する。
【産業上の利用可能性】
【００２４】
以上詳述したように、本発明は、在宅看護における介護室内の加齢臭、アンモニア臭素を分解消臭する機能を有するシート体７を一定の品質で維持するため、取り替え作業が容易に行えると共に、介護室内の消臭機能を増強するための、間仕切りの増設も簡単な作業で行えるものであり、さらに、間仕切り本来の機能も有し、特に、在宅介護における、介護室で使用される間仕切りとして広く利用することができる。
【符号の説明】
【００２５】
１              間仕切り
１０            間仕切り枠体
２、２          左右支柱
２４、２４      左右嵌合孔
２５、２５      左右保持孔
２６、２６      左右嵌入孔
２７、２７      左右下保持孔
３、３          上下連結杆
５              上フレーム
５１            右側上フレーム
５２            左側上フレーム
５３            支持杆
５４            コイルバネ
６              下フレーム
７              シート体
７１            上部通し穴部
７２            下部通し穴部
８、８          上下キャップ
８０、８０      上下連結部            
８１            連結ネジ
８２、８２      上下脱落防止部
９              連結金具
９１、９１      連結用嵌入穴
【図１】
2011001747.tif 000003
【図２】
2011001747.tif 000004
【図３】
2011001747.tif 000005
【図４】
2011001747.tif 000006
【図５】
2011001747.tif 000007
【図６】
2011001747.tif 000008
【図７】
2011001747.tif 000009
【図８】
2011001747.tif 000010
【図９】
2011001747.tif 000011